(57)【要約】【課題】磁気テープカートリッジの持出しが規制された管理エリアからその磁気テープカートリッジが不測に持ち出された場合であっても、磁気テープに記録されたデータの機密保持性を維持することができる磁気テープカートリッジのセキュリティーシステムを提供する。【解決手段】セキュリティーシステムは、磁気テープＭＴをドライブ３１で再生するために使用される再生用データが書き込まれたカートリッジメモリ１４と、このカートリッジメモリ１４に記録された前記再生用データを書き換えてドライブ３１での磁気情報の再生を不能にするリーダ／ライタ装置１６とで構成される。【選択図】      図２
2004171243.tif 000002
【特許請求の範囲】
【請求項１】
可搬性記録媒体に取り付けられるとともに、この可搬性記録媒体に記録された記録情報をドライブで再生するために使用される再生用データが書き込まれた無線タグと、この無線タグが取り付けられた前記可搬性記録媒体が通過するゲートで前記無線タグに向けて書換データを送信することによって、前記無線タグに記録された前記再生用データを書き換えて前記ドライブでの前記記録情報の再生を不能にするライタ装置とを備えることを特徴とする可搬性記録媒体のセキュリティーシステム。
【発明の詳細な説明】
【０００１】
【発明の属する技術分野】
本発明は、例えば磁気テープカートリッジのような可搬性記録媒体に記録されたデータの機密を保持するためのセキュリティーシステムに関する。
【０００２】
【従来の技術】
近年、例えば磁気テープカートリッジといった可搬性記録媒体は、サーバーマシンに保存されたデータのバックアップデータを記録するストレージメディアとして利用されている。そしてバックアップデータが記録された可搬性記録媒体は、そのデータ内容の重要性から、例えばＩＤカードを使用したＩＤ認証を要求することによって自由な入室を規制した管理エリア（サーバー室）に保管されている。しかしながら、このようなＩＤカードを使用した入室規制システムでは、何人もＩＤカードを入手しさえすればその管理エリアから可搬性記録媒体を容易に持ち出せてしまうという問題があった。
【０００３】
従来、ＲＦＩＤ（Ｒａｄｉｏ  Ｆｒｅｑｕｅｎｃｙ  Ｉｄｅｎｔｉｆｉｃａｔｉｏｎ）方式を利用した防犯システムが知られている（例えば特許文献１）。この防犯システムは、管理エリアの出口に設置されたリーダ／ライタと、管理エリアから持ち出される物品に取り付けられた無線タグとで構成されており、管理エリアからその物品が持ち出される際に、その物品の持出しが許可されていない場合には、無線タグに記録された、持出しを許可しない旨のデータをリーダ／ライタが読み取って警報を発するようになっている。したがって、このような防犯システムを可搬性記録媒体が保管された管理エリアに適用すれば、可搬性記録媒体に記録された重要なデータの機密保持性は高められる。
【０００４】
【特許文献１】
特開平１０−１２４７６４号公報（図２等）
【０００５】
【発明が解決しようとする課題】
しかしながら、この防犯システムは、前記可搬性記録媒体が管理エリアから持ち出される際に警報が発せられることによってその旨を認知することはできるが、警報が発せられたときに可搬性記録媒体の持出しを阻止する者が管理エリアに常駐していなければ万全なセキュリティーが保たれているとは言い難い。
【０００６】
そこで、本発明の課題は、可搬性記録媒体の持出しが規制された管理エリアからその可搬性記録媒体が不測に持ち出された場合であっても、可搬性記録媒体に記録されたデータの機密保持性を維持することができる可搬性記録媒体のセキュリティーシステムを提供することにある。
【０００７】
【課題を解決するための手段】
前記課題を解決した請求項１に記載の可搬性記録媒体のセキュリティーシステムは、可搬性記録媒体に取り付けられるとともに、この可搬性記録媒体に記録された記録情報をドライブで再生するために使用される再生用データが書き込まれた無線タグと、この無線タグが取り付けられた前記可搬性記録媒体が通過するゲートで前記無線タグに向けて書換データを送信することによって、前記無線タグに記録された前記再生用データを書き換えて前記ドライブでの前記記録情報の再生を不能にするライタ装置とを備えることを特徴とする。
【０００８】
このセキュリティーシステムでは、可搬性記録媒体がゲートを通過する際に、可搬性記録媒体の無線タグに記録された再生用データは、ライタ装置によって書き換えられる。このようなセキュリティーシステムによれば、可搬性記録媒体がゲートを通過することによって、可搬性記録媒体の記録情報はドライブでの再生が不能になるので、可搬性記録媒体に記録されたデータの機密保持性は維持される。
【０００９】
【発明の実施の形態】
以下、本発明に係るセキュリティーシステムの一実施の形態について、適宜図面を参照して詳細に説明する。
参照する図面において、図１は、本発明に係るセキュリティーシステムを示す概念図、図２は、図１のセキュリティーシステムの構造を概略的に示すブロック図、図３は、図１のセキュリティーシステムに使用される磁気テープカートリッジを示す部分斜視図である。
【００１０】
セキュリティーシステムは、図１に示すように、サーバーマシン１１のバックアップデータが記録された磁気テープカートリッジ１２を保管するためのサーバー室１３に配置されている。このセキュリティーシステムは、図２を併せて参照すると明らかなように、磁気テープカートリッジ１２に取り付けられる無線タグとしてのカートリッジメモリ１４と、リーダ／ライタ装置１６とを備えている。
カートリッジメモリ１４は、メモリ１７、電力供給回路１９、タグ側アンテナ２２、タグ側コントローラ１８及び変復調回路２１で構成されている。
【００１１】
メモリ１７には、磁気テープカートリッジ１２がサーバー室１３からの持出しが許可されているものか否かを示す持出認否データと、後記するように磁気テープカートリッジ１２の磁気テープＭＴに記録された暗号化データ（記録情報）をドライブで再生する際に使用されるキーデータ（再生用データ）とが少なくとも記録されている。
【００１２】
電力供給回路１９は、後記するようにリーダ／ライタ装置１６が発信した励起信号をタグ側アンテナ２２が受信した際に、タグ側アンテナ２２で誘起された交流電流を整流して得られる電力をタグ側コントローラ１８に供給するようになっている。
【００１３】
タグ側コントローラ１８は、電力供給回路１９から電力が供給された際に、メモリ１７に記録された持出認否データを読み出して変復調回路２１で持出認否データ信号に変調するとともに、タグ側アンテナ２２を介して持出認否データ信号をリーダ／ライタ装置１６に向けて送信するように構成されている。また、タグ側コントローラ１８は、後記するようにリーダ／ライタ装置１６が送信した書換信号をタグ側アンテナ２２が受信するとともに、書換信号が変復調回路２１で書換データに復調された際に、その書換データに基づいて、メモリ１７に記録されたキーデータを書き換えるように構成されている。
【００１４】
カートリッジメモリ１４は、図３に示すように、磁気テープＭＴを収納するカートリッジケース２６内に取り付けられており、カートリッジケース２６の内側壁に傾いて凭れかかるように配設されている。このカートリッジメモリ１４は、全体が矩形の薄片形状をしており、前記したメモリ１７、タグ側コントローラ１８、電力供給回路１９及び変復調回路２１が基板２４上で樹脂からなる封止剤であるグローブトップ２５の中に封入されている。そして、タグ側アンテナ２２は、ループ状のコイルとなるように基板２４の表面にプリントされている。
【００１５】
リーダ／ライタ装置１６は、再び図２を参照すると明らかなように、メモリ２７、ＲＷ側コントローラ２８及び変復調回路２９からなるリーダ／ライタモジュール（ＲＷ）と、ＲＷ側アンテナ１５とを備えている。
【００１６】
メモリ２７には、前記したタグ側アンテナ２２に交流電流を誘起させる励起信号を発信するための励起信号データと、カートリッジメモリ１４のメモリ１７に記録されたキーデータを書き換える書換信号を送信するための書換信号データとが記録されている。
【００１７】
ＲＷ側コントローラ２８は、メモリ２７から読み出した励起信号データを変復調回路２９で励起信号に変調するとともに、励起信号をＲＷ側アンテナ１５からカートリッジメモリ１４に向けて送信するように構成されている。また、ＲＷ側コントローラ２８は、タグ側アンテナ２２から送信された持出認否データ信号をＲＷ側アンテナ１５が受信し、持出認否データ信号が変復調回路２９で持出認否データに復調された際に、この持出認否データに基づいて磁気テープカートリッジ１２がサーバー室１３からの持出しを許可されたものか否かを判断するように構成されている。そして、そのＲＷ側コントローラ２８は、持出認否データがサーバー室１３からの持出しを許可されていないことを示すものであると判断した場合には、メモリ２７から読み出した書換信号データを変復調回路２９で書換信号に変調するとともに、書換信号をＲＷ側アンテナ１５からカートリッジメモリ１４に向けて送信するように構成されている。
【００１８】
ＲＷ側アンテナ１５は、ＲＦＩＤ方式に準拠した公知のアンテナを使用することができ、この実施の形態では、図１に示すように、サーバー室１３の出入口１３ａを両側から挟み込むように立設された１対の板体に内蔵される図示しないループ状アンテナで構成されている。
【００１９】
次に、本発明のセキュリティーシステムの動作を説明するにあたって、まず、このセキュリティーシステムで使用される磁気テープカートリッジ１２の磁気テープＭＴに記録されたデータがドライブで再生される様子について説明する。図４に示すように、ドライブ３１に磁気テープカートリッジ１２が装着されると、磁気テープＭＴは、ドライブ３１のリール３１ａに巻き取られていく。
【００２０】
この磁気テープＭＴに記録された磁気情報は、公知の手法によって予め暗号化されており、その暗号化データを復号化するためのキーデータが、カートリッジメモリ１４のメモリ１７（図２参照）に予め記録されている。このように磁気テープカートリッジ１２がドライブ３１に装着されると、ドライブ３１に取り付けられたリモートメモリインターフェイス３１ｂは、カートリッジメモリ１４のキーデータを非接触で読み出す。なお、このリモートメモリインターフェイス３１ｂとしては、例えば特開２００２−１８９９９４号公報に記載されているような公知のものが使用されている。そして、読み出されたキーデータは、ドライブ３１の中央演算処理ユニット（ＣＰＵ）を介してメモリＭに記録される。
【００２１】
その一方で、磁気テープＭＴに記録された暗号化データは、磁気テープＭＴがリール３１ａに巻き取られる途中で読出ヘッド３１ｃで読み出される。そして、中央演算処理ユニット（ＣＰＵ）が、メモリＭに記録されたキーデータに基づいて読み出された暗号化データを復号化するとともに、インターフェイス（Ｉ／Ｆ）を介して復号化したデータを出力することによって、磁気テープＭＴに記録された暗号化データの再生は終了する。
【００２２】
次に、本発明のセキュリティーシステムの動作を説明する。図５に示すように、サーバー室１３の出入口１３ａ付近には、リーダ／ライタモジュール（ＲＷ）からＲＷ側アンテナ１５を介して励起信号、すなわち電磁波ＥＷが発信されている。サーバー室１３から磁気テープカートリッジ１２を持ち出す際には、磁気テープカートリッジ１２は、この電磁波ＥＷに晒されることになる。
【００２３】
このセキュリティーシステムでは、図２及び図６に示すように、まず、リーダ／ライタ装置１６のＲＷ側アンテナ１５が励起信号を発信すると（Ｓ１）、カートリッジメモリ１４の電力供給回路１９が、タグ側アンテナ２２で誘起された交流電流を整流することによって得られた電力をタグ側コントローラ１８に供給する（Ｓ２）。
【００２４】
次に、電力を供給されたタグ側コントローラ１８は、メモリ１７に記録された持出認否データを読み出して変復調回路２１で持出認否データ信号に変調するとともに、タグ側アンテナ２２を介して持出認否データ信号をリーダ／ライタ装置１６に向けて送信する（Ｓ３）。その一方で、リーダ／ライタ装置１６は、ＲＷ側アンテナ１５で持出認否データ信号を受信するとともに、変復調回路２９で持出認否データ信号を持出認否データに復調する。そして、リーダ／ライタ装置１６のＲＷ側コントローラ２８は、この持出認否データに基づいて磁気テープカートリッジ１２がサーバー室１３からの持出しを許可されたものか否かを判断する（Ｓ４）。
【００２５】
ここでリーダ／ライタ装置１６は、そのＲＷ側コントローラ２８が、持出認否データがサーバー室１３からの持出しを許可されていないことを示すものであると判断した場合には、ＲＷ側コントローラ２８がメモリ２７から書換信号データを読み出す。そして変復調回路２９が書換信号データを書換信号に変調するとともに、ＲＷ側アンテナ１５が書換信号をカートリッジメモリ１４に向けて送信する（Ｓ５）。
【００２６】
次に、カートリッジメモリ１４側では、タグ側アンテナ２２が書換信号を受信するとともに、変復調回路２１が書換信号を書換データに復調する。そして、タグ側コントローラ１８が、書換データに基づいてメモリ１７に記録されたキーデータを書き換えると（Ｓ６）、このセキュリティーシステムの動作は終了する。
【００２７】
また、前記したＳ４のステップで、リーダ／ライタ装置１６のＲＷ側コントローラ２８が、持出認否データに基づいて磁気テープカートリッジ１２がサーバー室１３からの持出しを許可されたものであると判断した場合には、カートリッジメモリ１４のメモリ１７に記録されたキーデータは書き換えられることなく、このセキュリティーシステムの動作は終了する。
【００２８】
なお、このセキュリティーシステムが動作する過程で、カートリッジメモリ１４及びリーダ／ライタ装置１６間の通信には、１３．５６ＭＨｚの電磁波が使用されればよいが、タグ側アンテナ２２における誘導起電力を上げるために、電磁波の周波数を高めてもよい。また、タグ側アンテナ２２における誘導起電力を上げるために、ＲＷ側アンテナ１５の電界強度を上げてもよく、またタグ側アンテナ２２の巻き数を上げてもよい。
【００２９】
このようにタグ側アンテナ２２における誘導起電力を上げれば、より確実にメモリ１７に記録されたキーデータの書換えを実行することができる。また、例えばＲＷ側アンテナ１５，１５間を磁気テープカートリッジ１２が通過する時間が長くなるようにＲＷ側アンテナ１５の横幅を広くしてもよい。このようにＲＷ側アンテナ１５の横幅を広くすることによって、カートリッジメモリ１４とリーダ／ライタ装置１６との間の通信速度を遅く設定することができるので、その通信はより正確に行うことができる。
【００３０】
このような本実施の形態に係るセキュリティーシステムでは、磁気テープカートリッジ１２がサーバー室１３の出入口１３ａを通過する際に、カートリッジメモリ１４に記録されたキーデータは、リーダ／ライタ装置１６によって書き換えられる。したがって、このセキュリティーシステムによれば、磁気テープカートリッジ１２が出入口１３ａを通過することによって、磁気テープＭＴに記録されたデータはドライブ３１での再生が不能になるので、磁気テープＭＴに記録されたデータの機密保持性は維持される。
【００３１】
以上、本発明は、前記実施の形態に限定されることなく、様々な形態で実施される。
本実施の形態では、メモリ１７、タグ側コントローラ１８、電力供給回路１９、変復調回路２１及びタグ側アンテナ２２が一体となったカートリッジメモリ１４を使用したが、このカートリッジメモリ１４に代えて、例えば、図７に示すように、メモリ、タグ側コントローラ、電力供給回路及び変復調回路が一体となったＩＣチップ１４ａと、このＩＣチップ１４ａに接続されるとともに、カートリッジケース２６の互いに直交する３面にそれぞれ取り付けられたタグ側アンテナ１７ａとを備える無線タグユニットが使用されてもよい。
この無線タグユニットによれば、磁気テープカートリッジ１２がサーバー室１３の出入口１３ａを通過する際の姿勢にかかわらず、タグ側アンテナ１７ａ及びＲＷ側アンテナ１５，１５間の通信を良好に行うことができる。
【００３２】
また、本実施の形態では、リーダ／ライタ装置１６でカートリッジメモリ１４のメモリ１７に記録された持出認否データを読み出すことによって、持出しを許可されていない磁気テープカートリッジ１２を特定するとともに、その磁気テープカートリッジ１２についてのみ、メモリ１７に記録されたキーデータを書き換えるようにセキュリティーシステムを構成したが、本発明のセキュリティーシステムはこれに限定されることなく、リーダ／ライタ装置１６に代えてライタ装置を使用することによって、サーバー室１３の出入口１３ａを通過するすべての磁気テープカートリッジ１２について、メモリ１７に記録されたキーデータを書き換えるように構成してもよい。すなわち、このセキュリティーシステムは、ＲＷ側アンテナ１５が常に書換信号を発信するように、リーダ／ライタ装置１６のＲＷ側コントローラ２８を構成すればよい。このようなセキュリティーシステムでは、カートリッジメモリ１４で変復調回路２１に代えて復調回路を使用することができ、リーダ／ライタ装置１６で変復調回路２９に代えて変調回路を使用することができる。
【００３３】
また、本発明のセキュリティーシステムは、磁気テープカートリッジ１２がサーバー室１３の出入口１３ａを通過する際に、カートリッジメモリ１４が、メモリ１７（図２参照）に記録された、例えば個々のカートリッジメモリを特定するためのカートリッジＩＤデータをリーダ／ライタ装置１６に向けて送信するとともに、リーダ／ライタ装置１６がそのカートリッジＩＤデータを受信したことによって、ＲＷ側コントローラ（図２参照）が、磁気テープカートリッジ１２がサーバー室１３の出入口１３ａを通過した時刻を図示しないクロックによって特定し、さらにＲＷ側コントローラがその時刻を時刻データとしてメモリ２７（図２参照）やハードディスクドライブ（ＨＤＤ）といった図示しない外部記録装置に記録するように構成されていてもよい。
このセキュリティーシステムによれば、前記した時刻データによって磁気テープカートリッジ１２を携帯した者がサーバー室１３に出入りした際の入退室時刻が特定されるので、セキュリティーシステムの監視能力は一段と高められる。
【００３４】
【発明の効果】
本発明の可搬性記録媒体のセキュリティーシステムによれば、可搬性記録媒体の持出しが規制された管理領域からその可搬性記録媒体が不測に持ち出された場合であっても、可搬性記録媒体に記録されたデータの機密保持性を維持することができる。
【図面の簡単な説明】
【図１】本発明に係るセキュリティーシステムを示す概念図である。
【図２】図１のセキュリティーシステムの構造を概略的に示すブロック図である。
【図３】図１のセキュリティーシステムに使用される磁気テープカートリッジを示す部分斜視図である。
【図４】本発明に係るセキュリティーシステムに使用される磁気テープカートリッジをドライブに装着したときの様子を示す概念図である。
【図５】サーバー室の出入口の様子を示す概念図である。
【図６】本発明に係るセキュリティーシステムの動作を示すフローチャートである。
【図７】本発明に係るセキュリティーシステムに使用される磁気テープカートリッジの他の実施の形態を例示する部分斜視図である。
【符号の説明】
１２    磁気テープカートリッジ
１３ａ  サーバー室の出入口（ゲート）
１４    カートリッジメモリ（無線タグ）
１６    リーダ／ライタ装置
３１    ドライブ
【図１】
2004171243.tif 000003
【図２】
2004171243.tif 000004
【図３】
2004171243.tif 000005
【図４】
2004171243.tif 000006
【図５】
2004171243.tif 000007
【図６】
2004171243.tif 000008
【図７】
2004171243.tif 000009